(57)【要約】【課題】リンク中の通信端末がアプリケーションの動作に用いる特定の情報を取得できない状態になっても、利便性を維持できる情報表示制御装置を提供する。【解決手段】情報表示制御装置１０は、通信端末３０で動作しているアプリケーションの画像を画像表示装置２１に表示させる画像処理部１３と、通信端末３０がアプリケーションの動作に用いられる特定の情報を取得できない状態になった場合に、アプリケーションと同様の機能を発揮する代替アプリケーションを実行する制御部１１とを備える。画像処理部１３は、通信端末３０が上記の特定の情報を取得できない状態になると、代替アプリケーションの画像を画像表示装置２１に表示させる。【選択図】図１
2015203939.tif 000002
【特許請求の範囲】
【請求項１】
表示装置に画像を表示させる画像処理部と、
通信端末との通信を行い、前記通信端末で動作しているアプリケーションの画像を取得する通信部と、
前記通信端末が前記アプリケーションの動作に用いられる特定の情報を取得可能な状態か否かを判断し、その判断結果に基づいて前記画像処理部を制御する制御部とを備え、
前記制御部は、
前記通信端末が前記特定の情報を取得可能な状態であると判断した場合は、前記通信部が取得した前記アプリケーションの画像が前記表示装置に表示されるように前記画像処理部を制御し、
前記通信端末が前記特定の情報を取得できない状態であると判断した場合は、前記アプリケーションと同様の機能を発揮する代替アプリケーションを起動して、前記代替アプリケーションの画像が前記表示装置に表示されるように前記画像処理部を制御する
ことを特徴とする情報表示制御装置。
【請求項２】
表示装置に画像を表示させる画像処理部と、
通信端末との通信を行い、前記通信端末で動作しているアプリケーションの画像を取得する通信部と、
前記通信部が取得した前記アプリケーションの画像を記憶する画像記憶部と、
前記通信端末が前記アプリケーションの動作に用いられる特定の情報を取得可能な状態か否かを判断し、その判断結果に基づいて前記画像処理部を制御する制御部とを備え、
前記制御部は、
前記通信端末が前記特定の情報を取得可能な状態であると判断した場合は、前記通信部が取得した前記アプリケーションの画像が前記表示装置に表示されるように前記画像処理部を制御し、
前記通信端末が前記特定の情報を取得できない状態であると判断した場合は、前記特定の情報の取得が継続したと仮定したときの前記アプリケーションの画像の変化を推定して、前記画像記憶部に記憶されている前記アプリケーションの画像に前記制御部が推定した前記変化を加えた画像が前記表示装置に表示されるように前記画像処理部を制御する
ことを特徴とする情報表示制御装置。
【請求項３】
前記情報表示制御装置は、前記通信端末とは独立して前記特定の情報を取得する機能を有しており、
前記制御部は、前記情報表示制御装置が前記特定の情報を取得できない状態になったことをもって、前記通信端末も前記特定の情報を取得できない状態になったと判断する
請求項１または請求項２記載の情報表示制御装置。
【請求項４】
前記制御部は、前記通信端末が前記特定の情報を取得できない状態が一定時間以上続かなかった場合、前記通信端末が前記特定の情報を取得できない状態にならなかったとみなす
請求項１から請求項３のいずれか一項記載の情報表示制御装置。
【請求項５】
前記制御部は、前記通信端末が前記特定の情報を取得可能な状態が一定時間以上続かなかった場合、前記通信端末が前記特定の情報を取得可能な状態にならなかったとみなす
請求項１から請求項４のいずれか一項記載の情報表示制御装置。
【請求項６】
前記特定の情報は、現在位置を示す情報および地図情報の少なくとも片方である
請求項１から請求項５のいずれか一項記載の情報表示制御装置。
【請求項７】
前記アプリケーションは、経路案内を行うナビゲーション用のアプリケーションである
請求項６記載の情報表示制御装置。
【請求項８】
前記代替アプリケーションは、前記ナビゲーション用のアプリケーションよりも簡略化された地図を表示する簡易ナビゲーション用のアプリケーションである
請求項７記載の情報表示制御装置。
【請求項９】
通信端末と、
表示装置と、
前記通信端末との通信機能を有し、前記表示装置を制御する情報表示制御装置と、
を備えた情報表示システムであって、
前記情報表示制御装置は、
前記通信端末から、前記通信端末で動作しているアプリケーションの画像を取得すると共に、前記通信端末が前記アプリケーションの動作に用いられる特定の情報を取得可能な状態か否かを判断し、
前記通信端末が前記特定の情報を取得可能な状態であると判断した場合は、前記通信端末から取得した前記アプリケーションの画像を前記表示装置に表示させ、
前記通信端末が前記特定の情報を取得できない状態であると判断した場合は、前記アプリケーションと同様の機能を発揮する代替アプリケーションを起動して、前記代替アプリケーションの画像を前記表示装置に表示させる
ことを特徴とする情報表示システム。
【請求項１０】
通信端末と、
表示装置と、
前記通信端末との通信機能を有し、前記表示装置を制御する情報表示制御装置と、
を備えた情報表示システムであって、
前記情報表示制御装置は、
前記通信端末から、前記通信端末で動作しているアプリケーションの画像を取得して、画像記憶部に記憶すると共に、前記通信端末が前記アプリケーションの動作に用いられる特定の情報を取得可能な状態か否かを判断し、
前記通信端末が前記特定の情報を取得可能な状態であると判断した場合は、前記通信端末から取得した前記アプリケーションの画像を前記表示装置に表示させ、
前記通信端末が前記特定の情報を取得できない状態であると判断した場合は、前記特定の情報の取得が継続したと仮定したときの前記アプリケーションの画像の変化を推定して、前記画像記憶部に記憶されている前記アプリケーションの画像に推定した前記変化を加えた画像を前記表示装置に表示させる
ことを特徴とする情報表示システム。
【発明の詳細な説明】
【技術分野】
【０００１】
本発明は、情報表示装置の動作を制御する情報表示制御装置に関し、特に、外部の通信端末との連携（リンク）機能を有する情報表示制御装置に関する。
【背景技術】
【０００２】
近年、スマートフォンや携帯電話などの通信端末との通信機能を有する情報表示装置が実用化されている。そのような情報表示装置としては、通信端末で動作しているアプリケーションプログラム（以下、単に「アプリケーション」という）が出力する画像や音声を取得し、自己の表示部やスピーカから出力したり、画像や音声に基づくユーザの操作を受け付けて通信端末を制御したりするなど、通信端末との連携動作を可能とするリンク機能（例えばMirrorLink（登録商標）機能）を有するものがある。
【０００３】
通信端末で動作するアプリケーションとしては、通信端末が外部から取得した情報を用いて動作するものがある。例えば地図表示や経路案内を行うナビゲーション用のアプリケーションの動作には、通信端末がＧＰＳ（Global Positioning System）から取得した位置情報、外部のサーバーから取得した地図情報などが用いられる。
【０００４】
情報表示装置が通信端末で動作しているアプリケーションの画像を表示させているときに、通信端末がアプリケーションの動作に必要な情報を取得できない状態になると、アプリケーションが正常に動作しなくなることがある。例えば、情報表示装置が、通信端末で動作しているナビゲーション用のアプリケーションの出力する地図の画像を表示しているときに、通信端末が通信圏外になって地図情報を取得できなくなったり、通信端末がＧＰＳから位置情報を取得できなくなったりすると、当該アプリケーションは現在位置や経路の表示を正常に行えなくなる。
【０００５】
例えば、下記の特許文献１には、通信端末が通信圏外になる地点を予測して、通信圏外の地域の地図情報を予め情報センタから取得して記憶しておき、通信圏外になった後は記憶しておいた地図情報を用いて経路案内を継続するナビゲーションシステムが提案されている。
【先行技術文献】
【特許文献】
【０００６】
【特許文献１】特開2002-054939号公報
【発明の概要】
【発明が解決しようとする課題】
【０００７】
特許文献１の技術では、予期せぬ地点で通信端末が通信圏外になった場合には対応することができない上、通信端末に地図情報を記憶するための大容量のメモリを搭載させる必要があるという問題がある。
【０００８】
本発明は以上のような課題を解決するためになされたものであり、通信端末がアプリケーションの動作に用いる特定の情報を取得できない状態になっても、利便性を維持できる情報表示制御装置を提供することを目的とする。
【課題を解決するための手段】
【０００９】
本発明の第１の態様に係る情報表示制御装置は、表示装置に画像を表示させる画像処理部と、通信端末との通信を行い、通信端末で動作しているアプリケーションの画像を取得する通信部と、通信端末がアプリケーションの動作に用いられる特定の情報を取得可能な状態か否かを判断し、その判断結果に基づいて画像処理部を制御する制御部とを備え、制御部は、通信端末が特定の情報を取得可能な状態であると判断した場合は、通信部が取得したアプリケーションの画像が表示装置に表示されるように画像処理部を制御し、通信端末が特定の情報を取得できない状態であると判断した場合は、アプリケーションと同様の機能を発揮する代替アプリケーションを起動して、代替アプリケーションの画像が表示装置に表示されるように画像処理部を制御する。
【００１０】
本発明の第２の態様に係る情報表示制御装置は、表示装置に画像を表示させる画像処理部と、通信端末との通信を行い、通信端末で動作しているアプリケーションの画像を取得する通信部と、通信部が取得したアプリケーションの画像を記憶する画像記憶部と、通信端末がアプリケーションの動作に用いられる特定の情報を取得可能な状態か否かを判断し、その判断結果に基づいて画像処理部を制御する制御部とを備え、制御部は、通信端末が特定の情報を取得可能な状態であると判断した場合は、通信部が取得したアプリケーションの画像が表示装置に表示されるように画像処理部を制御し、通信端末が特定の情報を取得できない状態であると判断した場合は、特定の情報の取得が継続したと仮定したときのアプリケーションの画像の変化を推定して、画像記憶部に記憶されているアプリケーションの画像に制御部が推定した変化を加えた画像が表示装置に表示されるように画像処理部を制御する。
【発明の効果】
【００１１】
本発明によれば、通信端末がアプリケーションの動作に用いる特定の情報を取得できない状態になると、表示装置には、アプリケーションの画像の代わりとなる動的な画像（繰り返し更新される画像）が表示される。通信端末が特定の情報を取得できない状態になった後も、それまでに表示されていたアプリケーションの画像に対応する動的な画像が表示され続けることにより、利便性が維持される。
【図面の簡単な説明】
【００１２】
【図１】本発明の実施の形態１および２に係る情報表示システムの構成図である。
【図２】情報表示制御装置と通信端末との連携動作を説明するための図である。
【図３】情報表示制御装置と通信端末との連携動作を説明するための図である。
【図４】通信端末からデータを受信したときの情報表示制御装置の動作を示すフローチャートである。
【図５】操作入力装置（タッチパネル）が操作されたときの情報表示制御装置の動作を示すフローチャートである。
【図６】実施の形態１に係る情報表示制御装置の動作を説明するための図である。
【図７】実施の形態１において、通信端末が通信圏内にあるときの情報表示制御装置の動作を示すフローチャートである。
【図８】実施の形態１において、通信端末が通信圏外にあるときの情報表示制御装置の動作を示すフローチャートである。
【図９】実施の形態２において、通信端末がＧＰＳ位置情報を取得できる状態にあるときの情報表示制御装置の動作を示すフローチャートである。
【図１０】実施の形態２において、通信端末がＧＰＳ位置情報を取得できない状態にあるときの情報表示制御装置の動作を示すフローチャートである。
【図１１】本発明の実施の形態３に係る情報表示システムの構成図である。
【図１２】実施の形態３に係る情報表示制御装置の動作を説明するための図である。
【図１３】実施の形態３に係る情報表示制御装置の動作を説明するための図である。
【図１４】実施の形態３において、通信端末が通信圏内にあるときの情報表示制御装置の動作を示すフローチャートである。
【図１５】実施の形態３において、通信端末が通信圏外にあるときの情報表示制御装置の動作を示すフローチャートである。
【発明を実施するための形態】
【００１３】
＜実施の形態１＞
図１は、本発明に係る情報表示システムの構成図である。当該情報表示システムは、情報表示制御装置１０と、それに接続される画像表示装置２１、音声出力装置２２および操作入力装置２３と、情報表示制御装置１０と連携（リンク）可能な通信端末３０とを含んでいる。
【００１４】
情報表示制御装置１０は、画像表示装置２１に表示させる画像、および音声出力装置２２に出力させる音声を制御する。操作入力装置２３は、ユーザが、情報表示制御装置１０を操作したり、情報表示制御装置１０を介して通信端末３０をリモート操作したりするためのユーザインターフェイスである。情報表示制御装置１０が組み込まれる具体的な製品としては、例えば、カーナビゲーション装置、デジタルテレビ、テレビゲーム機などが考えられる。
【００１５】
本実施の形態では、情報表示制御装置１０に、情報表示制御装置１０の位置を取得する機能を有する現在位置取得装置２４がさらに接続される例を示す。現在位置取得装置２４は、情報表示制御装置１０が例えばナビゲーション用のアプリケーションを実行する際に用いられる。情報表示制御装置１０が、位置情報を必要としないアプリケーションを実行する場合は、基本的に現在位置取得装置２４は情報表示制御装置１０に接続されている必要はない。
【００１６】
画像表示装置２１、音声出力装置２２、操作入力装置２３および現在位置取得装置２４は、情報表示制御装置１０に内蔵されていてもよいし、外付けのデバイスであってもよい。画像表示装置２１、音声出力装置２２、操作入力装置２３および現在位置取得装置２４が外付けのデバイスの場合、それらと情報表示制御装置１０との間の接続（通信）は、それぞれ有線方式でも無線方式でもよい。
【００１７】
画像表示装置２１としては、液晶表示装置が代表的であるが、画像表示機能を有する任意の装置（例えば、テレビジョン表示装置、スマートフォン、タブレット端末、車両のインストルメントパネルの表示部、画面付きのゲームコントローラなど）を利用してもよい。音声出力装置２２は、スピーカやヘッドフォン等が一般的であるが、これも音声出力機能を有する任意の装置を利用してもよい。
【００１８】
操作入力装置２３は、基本的に情報表示制御装置１０の操作に用いられるが、情報表示制御装置１０が通信端末３０とリンクしている状態では、ユーザは、操作入力装置２３を介して通信端末３０をリモート操作することもできる。操作入力装置２３は、操作ボタン、操作スティック、キーボード、トラックパッド等のハードウェアでもよいし、画面に表示されるアイコンを用いたソフトウェアキーでもよい。操作入力装置２３としてのソフトウェアキーを画像表示装置２１に表示させる場合、画像表示装置２１と操作入力装置２３は、両者の機能を兼ね備えた１つのタッチパネルとしてもよい。
【００１９】
現在位置取得装置２４は、ＧＰＳ４３から発信される信号を受信して絶対的な位置（緯度、経度）の情報を取得するＧＰＳ受信機が代表的であるが、相対的な位置（位置の変化）の情報を取得するための速度センサ、方位センサなども含まれる。
【００２０】
情報表示制御装置１０は、制御部１１、通信部１２、画像処理部１３、音声処理部１５、通信端末情報解析部１６、通信端末制御部１７および記憶部１８を備えている。情報表示制御装置１０はコンピュータを用いて構成されており、情報表示制御装置１０の各要素は、コンピュータが、記憶部１８に記憶されている制御プログラム１８１に従って動作することにより実現される。なお、記憶部１８は、ハードディスク、リムーバブルディスク、メモリなどの記録媒体によって構成される。
【００２１】
制御部１１は、制御プログラム１８１に従って情報表示制御装置１０の全体を制御する機能を有する。また、制御部１１は、記憶部１８に記憶されている情報表示制御装置１０用のアプリケーションプログラム１８２を実行することもできる。情報表示制御装置１０の記憶部１８に記憶されているアプリケーションプログラム１８２には、通信端末３０で動作するアプリケーションと同様の機能を発揮する「代替アプリケーション」が含まれている。
【００２２】
通信部１２は、情報表示制御装置１０が通信端末３０とリンクするのに必要な通信を行う機能を有し、通信端末３０との間で、画像データ、音声データ、制御命令など各種の情報をやりとりする。通信部１２と通信端末３０との間の通信方式は、例えばＵＳＢ（Universal Serial Bus）ケーブルやＬＡＮ（Local Area Network）ケーブルなどを用いる有線通信でもよいし、無線ＬＡＮやBluetooth（登録商標）などの無線通信でもよい。
【００２３】
画像処理部１３は、画像表示装置２１に画像を表示させるための画像信号を生成する機能を有している。特に、情報表示制御装置１０が通信端末３０とリンクした状態では、画像処理部１３は、通信端末３０で動作しているアプリケーションが出力する画像（アプリケーション画像）を、通信部１２を介して取得し、画像表示装置２１に表示させることができる。
【００２４】
ここで、画像処理部１３が通信端末３０で動作しているアプリケーションの画像（アプリケーション画像）を画像表示装置２１に表示させているときに、通信端末３０がそのアプリケーションの動作に用いる特定の情報を取得できない状態になり、アプリケーションの正常な動作を継続できなくなる場合がある。その場合、制御部１１は、当該アプリケーションと同様の機能を発揮する代替アプリケーションを実行し、画像処理部１３は、通信端末３０のアプリケーション画像の代わりに、代替アプリケーションの画像（代替アプリケーション画像）を画像表示装置２１に表示させる。
【００２５】
音声処理部１５は、音声出力装置２２に音声を出力させるための音声信号を生成する機能を有している。特に、情報表示制御装置１０が通信端末３０とリンクした状態では、音声処理部１５は、通信端末３０で動作しているアプリケーションが出力する音声を、通信部１２を介して取得し、音声出力装置２２から出力させることができる。
【００２６】
通信端末情報解析部１６は、通信部１２を介して通信端末３０から取得した情報（データ）に基づき、通信端末３０の識別や状態判断を行う。通信端末情報解析部１６が通信端末３０から取得する情報としては、例えば、通信端末３０で実行中のアプリケーションの属性情報（アプリケーションの種別など）や、通信端末３０の属性情報（機種名、機能、電話番号、所有者名など）の他、通信端末３０が実行中のアプリケーションの動作に用いられる特定の情報を受信可能な状態か否かを示す情報（受信状態情報）が含まれる。
【００２７】
通信端末制御部１７は、通信部１２を介して通信端末３０へ各種の制御命令やデータを送信することにより、通信端末３０を制御する機能を有している。情報表示制御装置１０が通信端末３０とリンクした状態では、ユーザは、操作入力装置２３を用いて、画像表示装置２１に表示された通信端末３０の操作画面（通信端末３０で動作しているアプリケーションの操作画面など）の画像に基づく操作を行うことができる。このユーザの操作内容は、通信端末制御部１７が通信端末３０に伝達し、通信端末３０がその操作内容に応じた動作を行う。その結果、操作入力装置２３を用いた通信端末３０のリモート操作が実現される。
【００２８】
通信端末３０は、情報表示制御装置１０とリンクするための通信機能を有している。スマートフォンや携帯電話などのように、通信網４１（通信端末３０が在圏するネットワーク）を介した遠端側通信装置４２との通信機能を有してもよい。また、通信端末３０は、通信端末３０用のアプリケーションを実行することによって、電話機能や、電子メール（Ｅメール）の送受信機能、インターネットの閲覧機能（ブラウザ機能）、ＧＰＳ４３を利用して経路案内を行うナビゲーション機能などの様々な機能を発揮できてもよい。
【００２９】
通信端末３０の構成は、例えば一般的なスマートフォンと同様でよいため詳細な説明は省略するが、図１では、本発明と特に関係する表示部３１、操作部３２、制御部３３および通信部３４を図示している。
【００３０】
表示部３１には、通信端末３０で実行中のアプリケーションの画像が表示される。操作部３２は、通信端末３０のユーザインターフェイスであり、ユーザは、操作部３２を用いてアプリケーションに対する操作を行うことができる。制御部３３は、通信端末３０用の制御プログラムを実行することで、通信端末３０の基本的な機能（通信機能や通話機能など）の制御を行うと共に、各種のアプリケーションを実行することにより、上記した様々な機能を通信端末３０に発揮させることができる。通信部３４は、情報表示制御装置１０とリンクするための通信を行うが、通信網４１を介した遠端側通信装置４２との通信にも用いられてもよい。
【００３１】
次に、実施の形態１に係る情報表示システムの動作を説明する。以下の説明では、情報表示制御装置１０、画像表示装置２１、音声出力装置２２、操作入力装置２３および現在位置取得装置２４はいずれも車載装置であり、通信端末３０はスマートフォンであると仮定する。また、画像表示装置２１と操作入力装置２３は、一つのタッチパネル（後述の「タッチパネル装置２１２」）として構成されているものとする。同様に、通信端末３０の表示部３１および操作部３２も、一つのタッチパネル（後述の「タッチパネル部３１２」）として構成されているものとする。
【００３２】
以下の説明では、通信端末３０で動作するアプリケーションとして、経路案内を行うナビゲーション用アプリケーションを例示するが、本発明は、ナビゲーション用以外のアプリケーション、例えばブラウザなどに適用してもよい。
【００３３】
まず、情報表示制御装置１０と通信端末３０との連携（リンク）機能の概要を説明する。情報表示制御装置１０と通信端末３０とが有線または無線により物理接続され、双方の通信によってリンクが確立すると、図２に示すように、情報表示制御装置１０に接続したタッチパネル装置２１２（画像表示装置２１）に、通信端末３０のタッチパネル部３１２（表示部３１）と同じ画像が表示される。また、情報表示制御装置１０に接続した音声出力装置２２には、通信端末３０が出力するものと同じ音声が出力される。
【００３４】
情報表示制御装置１０と通信端末３０とがリンクしている間、通信端末３０が出力する画像や音声などのデータは情報表示制御装置１０へ送信され、情報表示制御装置１０は当該データをタッチパネル装置２１２および音声出力装置２２を用いて出力することができる。
【００３５】
さらに、ユーザは、情報表示制御装置１０と通信端末３０とがリンクしている間、タッチパネル装置２１２（操作入力装置２３）を操作することによって、通信端末３０のタッチパネル部３１２（操作部３２）を操作するのと同じ感覚で、通信端末３０をリモート操作することができる。なお、リンクが確立している間も通信端末３０のタッチパネル部３１２の操作は禁止されず、通信端末３０は、タッチパネル部３１２からもタッチパネル装置２１２からも操作可能な状態になる。
【００３６】
例えば、図２に示した状態から、ユーザがタッチパネル装置２１２に表示された「ナビゲーション」のアイコンにタッチすると、通信端末３０のタッチパネル部３１２を操作したときと同じように、通信端末３０でナビゲーション用アプリケーションが起動する。すると、図３のように、通信端末３０のタッチパネル部３１２に当該アプリケーションの画像（ここでは地図）が表示され、それと共に、タッチパネル装置２１２にも通信端末３０のタッチパネル部３１２と同じ画像が表示される。また、当該アプリケーションが、例えば経路案内のための音声を出力すると、その音声が情報表示制御装置１０に接続された音声出力装置２２から出力される。
【００３７】
このように、情報表示制御装置１０と通信端末３０とがリンクした状態では、情報表示制御装置１０と通信端末３０とが互いに連携した動作を行う。
【００３８】
以下、情報表示制御装置１０における通信端末３０との連携動作の詳細を説明する。
【００３９】
まず、リンク中の通信端末３０からデータを受信した場合における、情報表示制御装置１０の動作を説明する。図４はその動作を示すフローチャートである。
【００４０】
情報表示制御装置１０の通信部１２は、リンク中の通信端末３０から送信されたデータを受信すると（ステップＳ１０１）、受信したデータの種類を確認する（ステップＳ１０２）。
【００４１】
受信したデータが画像のデータであれば（ステップＳ１０３でＹＥＳ）、通信部１２は、その画像（データ）を画像処理部１３へと送る（ステップＳ１０４）。画像処理部１３は、当該画像を画像表示装置２１に表示させる（ステップＳ１０５）。
【００４２】
また、受信したデータが音声のデータであれば（ステップＳ１０３でＮＯ、且つ、ステップＳ１０６でＹＥＳ）、その音声（データ）を音声処理部１５へと送る（ステップＳ１０７）。音声処理部１５は、当該音声を音声出力装置２２から出力させる（ステップＳ１０８）。
【００４３】
一方、受信したデータが画像でも音声でもなく、通信端末３０で実行中のアプリケーションの属性情報、通信端末３０の属性情報、もしくは、通信端末３０が実行中のアプリケーションの動作に用いられる特定の情報を受信可能な状態か否かを示す情報（受信状態情報）などであれば（ステップＳ１０３でＮＯ、且つ、ステップＳ１０６でＮＯ）、通信部１２は、その情報（データ）を通信端末情報解析部１６へと送る（ステップＳ１０９）。通信端末情報解析部１６は、それらの情報を解析し、その結果を制御部１１へ送る（ステップＳ１１０）。それにより、制御部１１は、通信端末３０の状況に応じた情報表示制御装置１０の制御を行うことができる。
【００４４】
次に、通信端末３０とのリンク中にユーザが操作入力装置２３を操作した場合における、情報表示制御装置１０の動作を説明する。図５は、その動作を示すフローチャートである。
【００４５】
ユーザにより操作入力装置２３の操作が行われると、操作入力装置２３はその操作を情報表示制御装置１０の制御部１１に通知し（ステップＳ２０１）、制御部１１が、その操作の内容を確認する（ステップＳ２０２）。
【００４６】
当該操作が、通信端末３０の制御が必要となる操作であれば（ステップＳ２０３でＹＥＳ）、制御部１１は、その操作に対応する制御命令を通信端末制御部１７へと送る（ステップＳ２０４）。通信端末制御部１７は、その制御命令を通信部１２へ渡し（ステップＳ２０５）、通信部１２は、その制御命令を通信端末３０へ送信する（ステップＳ２０６）。
【００４７】
また、当該操作が、通信端末３０へのデータ送信が必要となる操作であれば（ステップＳ２０３でＮＯ、且つ、ステップＳ２０７でＹＥＳ）、制御部１１は、通信端末３０へ送信するデータを通信端末制御部１７へと送る（ステップＳ２０８）。通信端末制御部１７は、そのデータを通信部１２へ渡し（ステップＳ２０９）、通信部１２は、そのデータを通信端末３０へ送信する（ステップＳ２１０）。
【００４８】
一方、当該操作が、その他の操作であれば（ステップＳ２０３でＮＯ、且つ、ステップＳ２０７でＮＯ）、その操作の対象は通信端末３０ではなく情報表示制御装置１０であるので、制御部１１は、当該操作により入力された情報を、制御プログラム１８１およびアプリケーションプログラム１８２の処理に利用する（ステップＳ２１１）。それにより、情報表示制御装置１０は、ユーザの操作に基づく動作を行うこととなる。
【００４９】
次に、通信端末３０とのリンク中に、通信端末３０が実行中のアプリケーションの動作に用いられる特定の情報を受信できなくなった場合における情報表示制御装置１０の動作を説明する。
【００５０】
情報表示制御装置１０は、リンク中の通信端末３０が実行中のアプリケーションの動作に用いられる特定の情報を受信できない状態になると、通信端末３０で動作しているアプリケーションと同様の機能を有する代替アプリケーションを実行し、それまで画像表示装置２１に表示させていた通信端末３０のアプリケーション画像に代えて、代替アプリケーションの画像（代替アプリケーション画像）を表示させる。
【００５１】
例えば、情報表示制御装置１０と通信端末３０とがリンクしており、図３に示したように画像表示装置２１（タッチパネル装置２１２）と通信端末３０の表示部３１（タッチパネル部３１２）の両方に、通信端末３０で動作しているナビゲーション用のアプリケーションの画像（地図）が表示されている状態を仮定する。その状態から、通信端末３０が通信網４１の圏外（通信圏外）になると、通信端末３０は外部のサーバーから地図情報を取得できなくなり、地図の表示を更新することができなくなる。
【００５２】
実施の形態１の情報表示制御装置１０は、リンク中の通信端末３０が通信圏外になったことを検出すると、通信端末３０で動作しているアプリケーションと同様の機能を発揮する代替アプリケーションを起動させる。ここでは、通信端末３０でナビゲーション用のアプリケーションが動作しているので、情報表示制御装置１０は、代替アプリケーションとして、ナビゲーション用のアプリケーションを起動させる。
【００５３】
本実施の形態では、代替アプリケーションとしてのナビゲーション用のアプリケーションは、通信端末３０で動作しているナビゲーション用のアプリケーションよりも簡略化された地図を表示する簡易ナビゲーション用のアプリケーションとする。また、この簡易ナビゲーション用のアプリケーションの動作には、通信端末３０が取得した位置情報や地図情報は用いられず、情報表示制御装置１０が現在位置取得装置２４から取得した位置情報と、記憶部１８に記憶されている地図情報とが用いられる。代替アプリケーションとして、簡易ナビゲーション用のアプリケーションを使用することにより、情報表示制御装置１０の記憶部１８に記憶させる地図情報のデータ量を少なくできるという利点がある。
【００５４】
代替アプリケーションが起動すると、情報表示制御装置１０は、図６のように、代替アプリケーション画像（簡易ナビゲーション用の地図）を画像表示装置２１に表示させる。簡易ナビゲーション用のアプリケーションの動作には、通信端末３０が取得する位置情報や地図情報は必要ないため、通信端末３０が通信圏外になった状態でも、簡易ナビゲーション用のアプリケーションは正常に動作できる。従って、ユーザは、画像表示装置２１に表示されている簡易ナビゲーション用の地図から現在位置を直感的に把握でき、利便性は維持される。
【００５５】
図７は、リンク中の通信端末３０が通信圏内にある場合における情報表示制御装置１０の画像表示動作を示すフローチャートである。図７のフローチャートに示す動作は、通信端末３０が通信圏内にあり、図３のように、画像表示装置２１に通信端末３０から受信したアプリケーション画像が表示された状態のときに行われる。
【００５６】
ここで、情報表示制御装置１０と通信端末３０とがリンクしている間、通信端末３０は、実行中のアプリケーションの動作に用いられる特定の情報を受信可能な状態か否かを示す「受信状態情報」を、情報表示制御装置１０に随時送信している。実施の形態１では、通信端末３０は、受信状態情報として、自己が通信圏内であること（地図情報を取得できる状態であること）を示す「圏内情報」または自己が通信圏外であること（地図情報を取得できない状態であること）を示す「圏外情報」を、情報表示制御装置１０へ送信するものとする。通信端末３０が受信状態情報を送信するタイミングは、一定周期でもよいし、受信状態情報の内容（通信圏内または通信圏外）が変化したときでもよい。
【００５７】
図３の状態において、情報表示制御装置１０の通信部１２が、通信端末３０から圏外情報を受信すると（ステップＳ３０１）、通信部１２はその圏外情報を通信端末情報解析部１６へ送る（ステップＳ３０２）。そして、通信端末情報解析部１６は、制御部１１の内部に保存されているフラグ（条件判定処理の結果を保存するためのデータ）である「圏外フラグ」と「圏内情報待ちフラグ」をセットする（ステップＳ３０３）。なお、後述する「読み捨てフラグ」は、このときクリアされた状態になっている。また、制御部１１には、情報表示制御装置１０が通信圏内にあると判断されるときにセットされる「圏内フラグ」も保存されており、ここでは圏内フラグはセットされた状態となっている（圏内フラグは、後述する図８のステップＳ４０３でセットされる）。
【００５８】
その後、通信端末情報解析部１６は、一定時間待機する（ステップＳ３０４）。この待機時間は、ユーザが好みに応じて変更できるようにしてもよい。
【００５９】
通信端末情報解析部１６が待機している間（圏内情報待ちフラグがセット状態の間）に通信部１２が圏内情報を受信しなかった場合（ステップＳ３０５でＮＯ）、通信端末情報解析部１６は、圏内情報待ちフラグと圏内フラグをクリアして（ステップＳ３０６）、圏外フラグはセット状態に維持する。そして、読み捨てフラグをセットする（ステップＳ３０７）。
【００６０】
一方、通信端末情報解析部１６が待機している間に通信部１２が圏内情報を受信した場合（ステップＳ３０５でＹＥＳ）、通信端末情報解析部１６は、圏外フラグと圏内情報待ちフラグをクリアする（ステップＳ３０８）。つまり、通信部１２が圏外情報を受信しても、その後すぐに圏内情報を受信したときは、圏外情報を受信する前の状態に戻る。よって、通信端末３０が通信圏外になった状態が一定時間以上続かなかったときは、それを示す圏外情報は無視され、通信端末３０が通信圏外にならなかったとみなされる。通信端末３０が短時間だけ通信圏外になった場合にまで画像表示装置２１の表示が代替アプリケーション画像に切り替わると、図３の状態と図６の状態とが頻繁に切り替わり、かえって利便性が低下することが考えられるが、この処理によってそれが防止される。
【００６１】
その後、通信端末３０からの画像（アプリケーション画像）を通信部１２が受信すると（ステップＳ３０９）、通信部１２は受信した画像を画像処理部１３に送り（ステップＳ３１０）、制御部１１が読み捨てフラグの状態を確認する（ステップＳ３１１）。
【００６２】
読み捨てフラグがセット状態の場合（ステップＳ３１２でＹＥＳ）、制御部１１は、代替アプリケーションを起動させる（ステップＳ３１３）。そして、画像処理部１３は、代替アプリケーションの画像を、画像表示装置２１に表示させる（ステップＳ３１４）。その結果、情報表示制御装置１０は図６の状態に移行する。
【００６３】
一方、読み捨てフラグがセットされていない状態（クリア状態）の場合（ステップＳ３１２でＮＯ）、画像処理部１３は、通信端末３０から受信した画像、すなわちアプリケーション画像を画像表示装置２１に表示させる（ステップＳ３１５）。その結果、情報表示制御装置１０は図３の状態に維持される。
【００６４】
なお、代替アプリケーションは、通信端末３０が通信圏外になったときに通信端末３０で動作していたアプリケーションと同様の機能を発揮するものであるが、さらに、通信端末３０が通信圏外になる前後で画像表示装置２１の画面表示の継続性を担保できるものであることが望ましい。
【００６５】
例えば、画像表示装置２１（タッチパネル装置２１２）の表示が、通信端末３０で動作しているナビゲーション用のアプリケーションの地図（図３）から、代替アプリケーション（簡易ナビゲーション）の地図（図６）に切り替わる場合、代替アプリケーションの地図は、通信端末３０のアプリケーションの地図と同じ地域を同じ縮尺・向きで表示することが望ましい。それを実現するためには、通信端末３０のアプリケーションがどの地域の地図を、どのような縮尺で、どの方角を上にして表示していたか、といった情報を、情報表示制御装置１０が取得する必要がある。
【００６６】
さらに、通信端末３０のアプリケーションの地図に現在位置から目的地までの経路が表示されていた場合には、その経路の情報も取得して代替アプリケーションの地図に表示するとよい。あるいは、情報表示制御装置１０が目的地の情報を取得し、現在位置から目的地までの経路を代替アプリケーションで再検索して表示させてもよい。
【００６７】
また、代替アプリケーションの起動が遅いと、画像表示装置２１の表示を通信端末３０のアプリケーション画像から代替アプリケーション画像へ即座に切り替えることができない。例えば、簡易ナビゲーション用のアプリケーションは、起動時に現在位置取得装置２４を用いて現在位置を取得する必要があるため、起動にある程度の時間を要する。この問題は、情報表示制御装置１０が、事前に現在位置取得装置２４を用いて現在位置を取得しておく、あるいは、事前に代替アプリケーションを起動させておく、などの措置により解決できる。
【００６８】
図８は、リンク中の通信端末３０が通信圏外にある場合における情報表示制御装置１０の画像表示動作を示すフローチャートである。図８のフローチャートに示す動作は、通信端末３０が通信圏外にあり、図６のように、画像表示装置２１に代替アプリケーション画像が表示された状態のときに行われる（代替アプリケーションは、図７のステップＳ３１３で起動されている）。
【００６９】
図６の状態において、情報表示制御装置１０の通信部１２が、通信端末３０から圏内情報を受信すると（ステップＳ４０１）、通信部１２はその圏内情報を通信端末情報解析部１６へ送る（ステップＳ４０２）。通信端末情報解析部１６は、制御部１１の内部に保存されている「圏内フラグ」と「圏外情報待ちフラグ」をセットする（ステップＳ４０３）。なお、圏外フラグは、図７のステップＳ３０３でセットされたままになっており、読み捨てフラグは、図７のステップＳ３０７でセットされたままになっている。
【００７０】
その後、通信端末情報解析部１６は、一定時間待機する（ステップＳ４０４）。この待機時間は、ユーザが好みに応じて変更できるようにしてもよい。
【００７１】
制御部１１が待機している間（圏外情報待ちフラグがセット状態の間）に、通信部１２が圏外情報を受信しなかった場合（ステップＳ４０５でＮＯ）、通信端末情報解析部１６は、圏外情報待ちフラグと圏外フラグをクリアして（ステップＳ４０６）、「圏内フラグ」はセット状態に維持する。そして、読み捨てフラグをクリアする（ステップＳ４０７）。
【００７２】
一方、通信端末情報解析部１６が待機している間に、通信部１２が圏外情報を受信した場合（ステップＳ４０５でＹＥＳ）、通信端末情報解析部１６は、圏内フラグと圏外情報待ちフラグをクリアする（ステップＳ４０８）。つまり、通信部１２が圏内情報を受信しても、その後すぐに圏外情報を受信したときは、圏内情報を受信する前の状態に戻る。よって、通信端末３０が通信圏内になった状態が一定時間以上続かなかったときは、それを示す圏内情報は無視され、通信端末３０が通信圏内にならなかったとみなされる。通信端末３０が短時間だけ通信圏内になった場合にまで、画像表示装置２１の表示が通信端末３０のアプリケーション画像に切り替わると、図３の状態と図６の状態とが頻繁に切り替わり、かえって利便性が低下することが考えられるが、この処理によってそれが防止される。
【００７３】
その後、通信端末３０からの画像を通信部１２が受信すると（ステップＳ４０９）、通信部１２は受信した画像を画像処理部１３に送り（ステップＳ４１０）、制御部１１が読み捨てフラグの状態を確認する（ステップＳ４１１）。
【００７４】
読み捨てフラグがクリア状態の場合（ステップＳ４１２でＮＯ）、画像処理部１３は、通信端末３０から受信した画像、すなわちアプリケーション画像を画像表示装置２１に表示させる（ステップＳ４１３）。また、制御部１１は、代替アプリケーションを終了させる（ステップＳ４１４）。その結果、情報表示制御装置１０は図３の状態に移行する。
【００７５】
一方、読み捨てフラグがセット状態の場合は（ステップＳ４１２でＹＥＳ）、画像処理部１３は、代替アプリケーションの画像を、画像表示装置２１に表示させる（ステップＳ４１５）。その結果、情報表示制御装置１０は図６の状態に維持される。
【００７６】
＜実施の形態２＞
実施の形態１では、情報表示制御装置１０が、通信端末３０が通信圏外になったときに代替アプリケーションを起動させていたが、実施の形態２では、通信端末３０がＧＰＳから位置情報（ＧＰＳ位置情報）を取得できない状態（ＧＰＳから発信される信号を受信できない状態）になったときに代替アプリケーションを起動させる。
【００７７】
本実施の形態でも、図３のように画像表示装置２１（タッチパネル装置２１２）と通信端末３０の表示部３１（タッチパネル部３１２）の両方に、通信端末３０で動作しているナビゲーション用のアプリケーションの画像（現在位置の地図）が表示されている状態を仮定する。その状態から、通信端末３０がＧＰＳ位置情報を取得できない状態になると、通信端末３０は現在位置を判断できなくなるため、現在位置の地図の表示を正しく更新することができなくなる。
【００７８】
実施の形態２の情報表示制御装置１０は、リンク中の通信端末３０がＧＰＳ位置情報を取得できない状態になったことを検出すると、通信端末３０で動作しているアプリケーションと同様の機能を発揮する代替アプリケーションとして、簡易ナビゲーション用のアプリケーションを起動させる。そして、図６のように、代替アプリケーション画像（簡易ナビゲーション用の地図）を画像表示装置２１に表示させる。簡易ナビゲーション用のアプリケーションの動作には、通信端末３０が取得する位置情報や地図情報は必要ないため、通信端末３０がＧＰＳ位置情報を取得できない状態になっても、簡易ナビゲーション用のアプリケーションは正常に動作することができる。従って、ユーザは、画像表示装置２１に表示されている簡易ナビゲーション用の地図から現在位置を直感的に把握でき、利便性は維持される。
【００７９】
なお、情報表示制御装置１０に接続される現在位置取得装置２４は、通信端末３０とは独立してＧＰＳ位置情報を取得できるが、通信端末３０がＧＰＳ位置情報を取得できない状態のときは、現在位置取得装置２４も同様にＧＰＳ位置情報を取得できない状態になっている可能性が高い。しかし、現在位置取得装置２４は、車載の速度センサや方位センサから取得した相対的な位置に基づいて現在位置を算出でき、そのように算出した位置情報を簡易ナビゲーション用のアプリケーションの動作に用いることができる。
【００８０】
図９は、リンク中の通信端末３０がＧＰＳ位置情報を取得できる状態にある場合における情報表示制御装置１０の画像表示動作を示すフローチャートである。図９のフローチャートに示す動作は、通信端末３０がＧＰＳ位置情報を取得できる状態にあり、図３のように、画像表示装置２１に通信端末３０から受信したアプリケーション画像が表示された状態のときに行われる。
【００８１】
また、実施の形態２では、情報表示制御装置１０と通信端末３０とがリンクしている間、通信端末３０は、受信状態情報として、自己がＧＰＳ位置情報を取得できる状態であることを示す「ＧＰＳ取得可能情報」または自己がＧＰＳ位置情報を取得できない状態であることを示す「ＧＰＳ取得不能情報」を、情報表示制御装置１０へ送信するものとする。
【００８２】
図３の状態において、情報表示制御装置１０の通信部１２が、通信端末３０からＧＰＳ取得不能情報を受信すると（ステップＳ５０１）、通信部１２はそのＧＰＳ取得不能情報を通信端末情報解析部１６へ送る（ステップＳ５０２）。そして、通信端末情報解析部１６は、制御部１１の内部に保存されている「ＧＰＳ取得不能フラグ」と「ＧＰＳ取得可能情報待ちフラグ」をセットする（ステップＳ５０３）。なお、読み捨てフラグは、このときクリアされた状態になっている。また、制御部１１には、情報表示制御装置１０がＧＰＳ位置情報を取得できる状態にあると判断されるときにセットされる「ＧＰＳ取得可能フラグ」も保存されており、ここではＧＰＳ取得可能フラグはセットされた状態となっている（ＧＰＳ取得可能フラグは、後述する図１０のステップＳ６０３でセットされる）。
【００８３】
その後、通信端末情報解析部１６は、一定時間待機する（ステップＳ５０４）。この待機時間は、ユーザが好みに応じて変更できるようにしてもよい。
【００８４】
通信端末情報解析部１６が待機している間（ＧＰＳ取得可能情報待ちフラグがセット状態の間）に通信部１２がＧＰＳ取得可能情報を受信しなかった場合（ステップＳ５０５でＮＯ）、通信端末情報解析部１６は、ＧＰＳ取得可能情報待ちフラグとＧＰＳ取得可能フラグをクリアして（ステップＳ５０６）、ＧＰＳ取得不能フラグはセット状態に維持する。そして、読み捨てフラグをセットする（ステップＳ５０７）。
【００８５】
一方、通信端末情報解析部１６が待機している間に通信部１２がＧＰＳ取得可能情報を受信した場合（ステップＳ５０５でＹＥＳ）、通信端末情報解析部１６は、ＧＰＳ取得不能フラグとＧＰＳ取得可能情報待ちフラグをクリアする（ステップＳ５０８）。つまり、通信部１２がＧＰＳ取得不能情報を受信しても、その後すぐにＧＰＳ取得可能情報を受信したときは、ＧＰＳ取得不能情報を受信する前の状態に戻る。よって、通信端末３０がＧＰＳ位置情報を取得できない状態が一定時間以上続かなかったときは、それを示すＧＰＳ取得不能情報は無視され、通信端末３０がＧＰＳ位置情報を取得できない状態にならなかったとみなされる。通信端末３０が短時間だけＧＰＳ位置情報を取得できない状態になった場合にまで画像表示装置２１の表示が代替アプリケーション画像に切り替わると、図３の状態と図６の状態とが頻繁に切り替わり、かえって利便性が低下することが考えられるが、この処理によってそれが防止される。
【００８６】
その後、通信端末３０からの画像を通信部１２が受信すると（ステップＳ５０９）、通信部１２は受信した画像を画像処理部１３に送り（ステップＳ５１０）、制御部１１が読み捨てフラグの状態を確認する（ステップＳ５１１）。
【００８７】
読み捨てフラグがセット状態の場合（ステップＳ５１２でＹＥＳ）、制御部１１は、代替アプリケーションを起動させる（ステップＳ５１３）。そして、画像処理部１３は、代替アプリケーションの画像を、画像表示装置２１に表示させる（ステップＳ５１４）。その結果、情報表示制御装置１０は図６の状態に移行する。
【００８８】
一方、読み捨てフラグがセットされていない状態（クリア状態）の場合（ステップＳ５１２でＮＯ）、画像処理部１３は、通信端末３０から受信した画像、すなわちアプリケーション画像を画像表示装置２１に表示させる（ステップＳ５１５）。その結果、情報表示制御装置１０は図３の状態に維持される。
【００８９】
図１０は、リンク中の通信端末３０がＧＰＳ位置情報を取得できない状態にある場合における情報表示制御装置１０の画像表示動作を示すフローチャートである。図１０のフローチャートに示す動作は、通信端末３０がＧＰＳ位置情報を取得できない状態にあり、図６のように、画像表示装置２１に代替アプリケーション画像が表示された状態のときに行われる（代替アプリケーションは、図９のステップＳ５１３で起動されている）。
【００９０】
図６の状態において、情報表示制御装置１０の通信部１２が、通信端末３０からＧＰＳ取得可能情報を受信すると（ステップＳ６０１）、通信部１２はそのＧＰＳ取得可能情報を通信端末情報解析部１６へ送る（ステップＳ６０２）。通信端末情報解析部１６は、制御部１１の内部に保存されている「ＧＰＳ取得可能フラグ」と「ＧＰＳ取得不能情報待ちフラグ」をセットする（ステップＳ６０３）。なお、ＧＰＳ取得不能フラグは、図９のステップＳ５０３でセットされたままになっており、読み捨てフラグは、図９のステップＳ５０７でセットされたままになっている。
【００９１】
その後、通信端末情報解析部１６は、一定時間待機する（ステップＳ６０４）。この待機時間は、ユーザが好みに応じて変更できるようにしてもよい。
【００９２】
制御部１１が待機している間（ＧＰＳ取得不能情報待ちフラグがセット状態の間）に、通信部１２がＧＰＳ取得不能情報を受信しなかった場合（ステップＳ６０５でＮＯ）、通信端末情報解析部１６は、ＧＰＳ取得不能情報待ちフラグとＧＰＳ取得不能フラグをクリアして（ステップＳ６０６）、ＧＰＳ取得可能フラグはセット状態に維持する。そして、読み捨てフラグをクリアする（ステップＳ６０７）。
【００９３】
一方、通信端末情報解析部１６が待機している間に、通信部１２がＧＰＳ取得不能情報を受信した場合（ステップＳ６０５でＹＥＳ）、通信端末情報解析部１６は、ＧＰＳ取得可能フラグとＧＰＳ取得不能情報待ちフラグをクリアする（ステップＳ６０８）。つまり、通信部１２がＧＰＳ取得可能情報を受信しても、その後すぐにＧＰＳ取得不能情報を受信したときは、ＧＰＳ取得可能情報を受信する前の状態に戻る。よって、通信端末３０がＧＰＳ位置情報を取得できる状態が一定時間以上続かなかったときは、それを示すＧＰＳ取得可能情報は無視され、通信端末３０がＧＰＳ位置情報を取得できる状態にならなかったとみなされる。通信端末３０が短時間だけＧＰＳ位置情報を取得できる状態になった場合にまで、画像表示装置２１の表示が通信端末３０のアプリケーション画像に切り替わると、図３の状態と図６の状態とが頻繁に切り替わり、かえって利便性が低下することが考えられるが、この処理によってそれが防止される。
【００９４】
その後、通信端末３０からの画像を通信部１２が受信すると（ステップＳ６０９）、通信部１２は受信した画像を画像処理部１３に送り（ステップＳ６１０）、制御部１１が読み捨てフラグの状態を確認する（ステップＳ６１１）。
【００９５】
読み捨てフラグがクリア状態の場合（ステップＳ６１２でＮＯ）、画像処理部１３は、通信端末３０から受信した画像、すなわちアプリケーション画像を画像表示装置２１に表示させる（ステップＳ６１３）。また、制御部１１は、代替アプリケーションを終了させる（ステップＳ６１４）。その結果、情報表示制御装置１０は図３の状態に移行する。
【００９６】
一方、読み捨てフラグがセット状態の場合は（ステップＳ６１２でＹＥＳ）、画像処理部１３は、代替アプリケーションの画像を、画像表示装置２１に表示させる（ステップＳ６１５）。その結果、情報表示制御装置１０は図６の状態に維持される。
【００９７】
また、通信端末３０がＧＰＳ位置情報を取得できない状態のときは、現在位置取得装置２４も同様にＧＰＳ位置情報を取得できない状態になっている可能性が高いという特徴を利用して、通信端末３０がＧＰＳ位置情報を取得できる状態か否かを判断してもよい。例えば、情報表示制御装置１０が、現在位置取得装置２４がＧＰＳ位置情報を取得できない状態になったときに、通信端末３０もＧＰＳ位置情報を取得できない状態であるとみなして、代替アプリケーションを起動し、図６のように代替アプリケーション画像を画像表示装置２１に表示させるようにしてもよい。すなわち、現在位置取得装置２４がＧＰＳ位置情報を取得できているときは、情報表示制御装置１０が通信端末３０からＧＰＳ取得可能情報を受信したときと同様に動作し、現在位置取得装置２４がＧＰＳ位置情報を取得できなくなったときは、情報表示制御装置１０が通信端末３０からＧＰＳ取得不能情報を受信したときと同様に動作するようにしてもよい。
【００９８】
また、実施の形態１と実施の形態２を組み合わせてもよい。すなわち、通信端末３０が通信圏内（地図情報を取得できる状態）であり且つＧＰＳ位置情報を取得できる状態のときは、図３のように情報表示制御装置１０が通信端末３０のアプリケーション画像を画像表示装置２１に表示させ、通信端末３０が地図情報およびＧＰＳ位置情報の少なくとも片方を取得できなくなると、情報表示制御装置１０が代替アプリケーション（簡易ナビゲーション用のアプリケーション）を起動して、図６のように代替アプリケーション画像を画像表示装置２１に表示させるようにしてもよい。
【００９９】
＜実施の形態３＞
図１１は、本発明に係る情報表示システムの構成図である。図１１に示す情報表示システムは、図１の構成に対して画像記憶部１４を設けた構成となっている。画像記憶部１４は、情報表示制御装置１０が通信端末３０とリンクしている間、通信端末３０から取得したアプリケーションの画面（スクリーンショット）を随時記憶する機能を有している。
【０１００】
実施の形態３では、情報表示制御装置１０とリンクしている通信端末３０が、実行中のアプリケーションの動作に用いられる特定の情報を受信できない状態になった場合に、制御部１１の画像変化推定部１１１が、当該アプリケーションが動作を継続したと仮定したときのアプリケーション画像の変化を推定する。さらに、画像処理部１３は、画像記憶部１４に記憶されているアプリケーション画像に、画像変化推定部１１１が推定した変化を加える加工処理を行って、加工処理後のアプリケーション画像を画像表示装置２１に表示させる。
【０１０１】
つまり、実施の形態３の情報表示制御装置１０は、通信端末３０が実行中のアプリケーションの動作に用いられる特定の情報を受信できない状態になった場合も、通信端末３０のアプリケーションの画像の表示を継続する。但し、通信端末３０ではアプリケーション画像の更新がされないため、情報表示制御装置１０が画像表示装置２１に表示させるアプリケーション画像として、当該アプリケーションが動作を継続したと仮定して推定したアプリケーション画像が用いられる。
【０１０２】
例えば、図３に示したように画像表示装置２１（タッチパネル装置２１２）と通信端末３０の表示部３１（タッチパネル部３１２）に、通信端末３０のナビゲーション用のアプリケーションの画像（地図）が表示されている状態を仮定する。その状態から、通信端末３０が通信圏外になると、通信端末３０は外部のサーバーから地図情報を取得できなくなるため、地図の表示を更新することができなくなる。
【０１０３】
実施の形態３の情報表示制御装置１０は、リンク中の通信端末３０が通信圏外になったことを検出すると、図１２のように、画像表示装置２１には、その直前に画像記憶部１４に記憶されたアプリケーション画像（地図）を表示させる。これにより、見た目上、画像表示装置２１におけるアプリケーション画像の表示は継続される。しかし、地図が更新されなければ、車両が移動したときに、地図上の車両の位置と実際の車両の位置（現在位置）とがずれることになる。
【０１０４】
そこで本実施の形態では、制御部１１の画像変化推定部１１１が、現在位置取得装置２４から得られる位置情報に基づいて車両の位置変化を算出することにより、通信端末３０のアプリケーションが動作を継続したと仮定したときのアプリケーション画像の変化を推定する。具体的には、画像変化推定部１１１が、算出した車両の位置変化（移動の方向と距離）と、画像表示装置２１に表示されている地図の縮尺や向きに基づいて、当該地図上で車両の位置がどの方向にどの程度移動するのかを推定する。
【０１０５】
画像処理部１３は、画像変化推定部１１１が推定した地図上の車両の位置変化が反映されるように、画像記憶部１４に記憶されている地図（アプリケーション画像）の加工処理を行う。そして画像処理部１３は、加工処理後の地図を画像表示装置２１に表示させる。
【０１０６】
例えば図１２の状態では、画像表示装置２１の画面中央のやや下側に車両の位置を示すアイコン（白丸と黒三角とを組み合わせたマーク）が表示されている。その状態から車両が前進した場合、通信端末３０のアプリケーションが動作を継続していると仮定すると、地図上の車両のアイコンは上方向に移動すると推定される。画像処理部１３は、その推定結果に基づき、図１３のように車両の位置を示すアイコンを上方向に動かす加工処理を行う。この処理を繰り返すことにより、車両の移動に応じて地図上の車両の位置を示すアイコンが移動することになる。
【０１０７】
このように、通信端末３０が通信圏外になっている間も画像表示装置２１に表示されているアプリケーション画像（地図）が動的に表示されることにより、ユーザはアプリケーション画像から現在位置を直感的に把握でき、利便性は維持される。
【０１０８】
図１４は、リンク中の通信端末３０が通信圏内にある場合における情報表示制御装置１０の画像表示動作を示すフローチャートである。図１４のフローチャートに示す動作は、通信端末３０が通信圏内にあり、図３のように、画像表示装置２１に通信端末３０から受信したアプリケーション画像が表示された状態のときに行われる。図１４のフローチャートにおいて、ステップＳ３０１〜Ｓ３１２は、図７と同様であるので、ここではそれらのステップの説明は省略する。
【０１０９】
情報表示制御装置１０が通信端末３０から圏外情報を受信し、ステップＳ３０６で読み捨てフラグがセット状態にされた場合、ステップＳ３１２で「ＹＥＳ」と判断される。この場合、制御部１１の画像変化推定部１１１は、現在位置取得装置２４から現在位置を取得して現在位置の変化を算出し、通信端末３０が通信圏内で地図情報を継続して取得できたと仮定したときのアプリケーション画像の変化を推定する（ステップＳ３２３）。続いて、画像処理部１３は、画像変化推定部１１１が推定したアプリケーション画像の変化が反映されるように、画像記憶部１４に記憶されているアプリケーション画像の加工処理を行い、加工処理後の画像（推定画像）を画像表示装置２１に表示させる（ステップＳ３２４）。その結果、情報表示制御装置１０は図１２および図１３の状態に移行する。
【０１１０】
一方、情報表示制御装置１０が通信端末３０から圏外情報を受信したが、その後すぐに圏内情報を受信したことで、読み捨てフラグがセット状態にされなかった場合、ステップＳ３１２で「ＮＯ」と判断される。この場合、画像処理部１３は、通信端末３０から受信した画像、すなわちアプリケーション画像を画像表示装置２１に表示させる（ステップＳ３２５）。その結果、情報表示制御装置１０は図３の状態に維持される。
【０１１１】
図１５は、リンク中の通信端末３０が通信圏外にある場合における情報表示制御装置１０の画像表示動作を示すフローチャートである。図１５のフローチャートに示す動作は、通信端末３０が通信圏外にあり、図１２および図１３のように、画像表示装置２１にアプリケーション画像の変化を推定した画像（推定画像）が表示された状態のときに行われる。図１５のフローチャートにおいて、ステップＳ４０１〜Ｓ４１２は、図８と同様であるので、ここではそれらのステップの説明は省略する。
【０１１２】
情報表示制御装置１０が通信端末３０から圏内情報を受信し、読み捨てフラグがクリアされた場合、ステップＳ４１２で「ＮＯ」と判断される。この場合、画像処理部１３は、通信端末３０から受信した画像、すなわちアプリケーション画像を画像表示装置２１に表示させる（ステップＳ４２５）。その結果、情報表示制御装置１０は図３の状態に遷移する。
【０１１３】
一方、情報表示制御装置１０が通信端末３０から圏内情報を受信したが、その後すぐに圏外情報を受信したことで、読み捨てフラグがセット状態に維持された場合、ステップＳ４１２で「ＹＥＳ」と判断される。この場合、制御部１１の画像変化推定部１１１は、現在位置取得装置２４から現在位置を取得して現在位置の変化を算出し、通信端末３０が通信圏内で地図情報を継続して取得できたと仮定したときのアプリケーション画像の変化を推定する（ステップＳ４２３）。続いて、画像処理部１３は、画像変化推定部１１１が推定したアプリケーション画像の変化が反映されるように、画像記憶部１４に記憶されているアプリケーション画像の加工処理を行い、加工処理後の画像（推定画像）を画像表示装置２１に表示させる（ステップＳ４２４）。その結果、情報表示制御装置１０は図１２および図１３の状態に維持される。
【０１１４】
本実施の形態では、通信端末３０が通信圏外になったときに、情報表示制御装置１０が画像表示装置２１に推定画像を表示させるようにしたが、実施の形態２に適用し、通信端末３０がＧＰＳから位置情報（ＧＰＳ位置情報）を取得できない状態になったときに、推定画像を表示させてもよい。その場合の情報表示制御装置１０の動作については、詳細な説明を省略するが、図９のフローチャートのステップＳ５１２以降の処理を、図１４のステップＳ３２３〜Ｓ３２５に置き換え、また図１０のフローチャートのステップＳ６１２以降の処理を、図１４のステップＳ４２３〜Ｓ４２５に置き換えることで実現できる。
【０１１５】
また、通信端末３０が通信圏内（地図情報を取得できる状態）であり且つＧＰＳ位置情報を取得できる状態のときは、図３のように情報表示制御装置１０が通信端末３０のアプリケーション画像を画像表示装置２１に表示させ、通信端末３０が地図情報およびＧＰＳ位置情報の少なくとも片方を取得できなくなると、情報表示制御装置１０が図１２および図１３のように推定画像を画像表示装置２１に表示させるようにしてもよい。
【０１１６】
なお、本発明は、その発明の範囲内において、各実施の形態を自由に組み合わせたり、各実施の形態を適宜、変形、省略することが可能である。
【符号の説明】
【０１１７】
１０  情報表示制御装置、１１  制御部、１１１  画像変化推定部、１２  通信部、１３  画像処理部、１４  画像記憶部、１５  音声処理部、１６  通信端末情報解析部、１７  通信端末制御部、１８  記憶部、１８１  制御プログラム、１８２  アプリケーションプログラム、２１  画像表示装置、２２  音声出力装置、２３  操作入力装置、２４  現在位置取得装置、３０  通信端末、４１  通信網、４２  遠端側通信装置、４３  ＧＰＳ、３１  表示部、３２  操作部、３３  制御部、３４  通信部、２１２  タッチパネル装置、３１２  タッチパネル部。
【図１】
2015203939.tif 000003
【図２】
2015203939.tif 000004
【図３】
2015203939.tif 000005
【図４】
2015203939.tif 000006
【図５】
2015203939.tif 000007
【図６】
2015203939.tif 000008
【図７】
2015203939.tif 000009
【図８】
2015203939.tif 000010
【図９】
2015203939.tif 000011
【図１０】
2015203939.tif 000012
【図１１】
2015203939.tif 000013
【図１２】
2015203939.tif 000014
【図１３】
2015203939.tif 000015
【図１４】
2015203939.tif 000016
【図１５】
2015203939.tif 000017